(57)【要約】      （修正有）【課題】騒音環境のなかでも外部からの音を遮断することができる移動型の室内環境を構成するワークブースを提供する。【解決手段】外部からの音を遮蔽するワークブースであって、発泡ウレタン素材からなる外壁材２と、アクリル繊維からなるグラスウールを圧縮した圧縮材からなる内壁材３と、を組み合わせた壁面１ａと底面１ｂとを有している。ワークブースは、開閉扉５の周囲に外部からの音を遮蔽する扉遮蔽部と、外部からの振動を遮断する床面振動抑制部と、を有している。【選択図】図１
0003222055.tif 000002
【実用新案登録請求の範囲】
【請求項１】
外部からの音を遮蔽するワークブースであって、
発泡ウレタン素材からなる外壁材と、アクリル繊維からなるグラスウールを圧縮した圧縮材からなる内壁材と、を組み合わせた壁面と底面とを有し、
開閉扉の周囲に外部からの音を遮蔽する扉遮蔽部と、外部からの振動を遮断する床面振動抑制部とを有することを特徴とするワークブース。
【請求項２】
床面振動抑制部とは、ワークブース内に敷き詰めたカーペット材であって、
前記カーペット材は、合成樹脂からなる下面部と、高さ９ｍｍ以上の直立毛体を備えた上面部とを接着層で一体化したことを特徴とする請求項１に記載のワークブース。
【請求項３】
扉遮蔽部は、ワークブース外壁の扉設置開放部の周囲から外方に向けて配置した弾性樹脂からなる突出縁と、該突出縁を介して開閉するヒンジと、閉鎖状態を保持するロック部とを備え、
さらに底面に移動用キャスターを備えたことを特徴とする請求項１または２のいずれかに記載のワークブース。
【請求項４】
発泡ウレタン素材からなる外壁材と、アクリル繊維からなるグラスウールを圧縮した圧縮材からなる内壁材とを組み合わせた壁面に加え、前記外壁材と前記内壁材とを組み合わせた内天井面を、前記壁面の上縁よりも下方に設置することにより中階層を形成し、
前記中階層にドレインレス空調機を設置したことを特徴とする請求項１、２または３のいずれかに記載のワークブース。
【考案の詳細な説明】
【技術分野】
【０００１】
本考案は、騒音環境のなかでも外部からの音を遮断することができる移動型の室内環境を提供できるワークブースである。
【背景技術】
【０００２】
従来より、外部からの音を遮断する防音、吸音構造となった遮音室に関する発明が提供されている。
【先行技術文献】
【特許文献】
【０００３】
【特許文献１】特開２０１５−１１３６４２号公報
【考案の概要】
【考案が解決しようとする課題】
【０００４】
特許文献１に記載の発明は、壁パネル及び天井パネルからなり、１つの壁パネルにドアを設けている。壁パネル及び天井パネルは遮音室の外側に露出した外面板と遮音室の内部空間に露出した内面板と両者の間に配置された吸音材とを基本要素としている。外面板は鋼板やステンレス板のような金属板からなり、穴は空いていない。他方、内面板は鋼板やステンレス板に多数の小穴を空けたパンチングメタルが使用されている。吸音材は無機質のグラスウールが使用されている。
【０００５】
しかし、考案者は、完全に外部の騒音をシャットアウトするようなワークブースは却って危険を招き好ましくなく、適宜外部からの音を遮断し、外部からの振動を抑制しつつ、内部の音を一定の反響させることを維持することが必要であることを踏まえ、壁面や底面の構成が重要と考えていた。
【０００６】
そこで、騒音環境のなかでも外部からの音を適切に遮断することができる移動型の室内環境を提供できるワークブースが望まれていた。
【課題を解決するための手段】
【０００７】
本考案のワークブースは、外部からの音を遮蔽するワークブースであって、発泡ウレタン素材からなる外壁材と、アクリル繊維からなるグラスウールを圧縮した圧縮材からなる内壁材と、を組み合わせた壁面と底面とを有し、開閉扉の周囲に外部からの音を遮蔽する扉遮蔽部と、外部からの振動を遮断する床面振動抑制部と、を有することを特徴とする。
【０００８】
床面振動抑制部とは、ワークブース内に敷き詰めたカーペット材であって、前記カーペット材は、合成樹脂からなる下面部と、高さ９ｍｍ以上の直毛体を備えた上面部とを接着層で一体化することが好ましい。
【０００９】
扉遮蔽部は、ワークブース外壁の扉設置開放部の周囲から外方に向けて配置した弾性樹脂からなる突出縁と、該突出縁を介して開閉するヒンジと、閉鎖状態を保持するロック部とを備え、さらに底面に移動用キャスターを備えることが好ましい。
【００１０】
発泡ウレタン素材からなる外壁材と、アクリル繊維からなるグラスウールを圧縮した圧縮材からなる内壁材とを組み合わせた壁面に加え、前記外壁材と前記内壁材とを組み合わせた内天井面を、前記壁面の上縁よりも下方に設置することにより中階層を形成し、前記中階層にドレインレス空調機を設置することが好ましい。
【考案の効果】
【００１１】
請求項１〜４記載の考案により、騒音環境のなかでも外部からの音を遮断した移動型の室内環境を提供することができる。
【図面の簡単な説明】
【００１２】
【図１】本考案の実施形態に係るワークブースの斜視図である。
【図２】壁面の模式図である。
【図３】底面の模式図である。
【考案を実施するための形態】
【００１３】
本考案のワークブースは鉄道のホーム上などの騒音・振動環境下に設置して用いるものである。ワークブースは外部からの音を遮蔽することによりブース内に静かな作業環境を提供する。
【００１４】
ワークブースは内部にポストフォーム加工した机と背もたれ付き椅子とを固定して有し、図１に示すように、平均体型の成人男性が机に向かい椅子に着座して事務作業などを快適に行うことが可能な程度の広さに形成した箱形状としている。ワークブースの外寸は左右幅を１５００ｍｍとし、前後長を１０５０ｍｍとし、上下高さを２３５０ｍｍとしている。内寸は左右幅を１３４０ｍｍとし、前後長を９１６ｍｍとし、上下高さを１９０８ｍｍとしている。
【００１５】
ワークブースは、図２に示すように、外壁材２と、内壁材３と、を組み合わせた合せ材により、壁面１ａと底面１ｂと内天井面１ｃとを形成している。
【００１６】
外壁材２は、鋼板２ａを表面として発泡ウレタン素材２ｂを設けたサンドイッチパネルからなる不燃・焼付カラー鋼板として、ワークブースの外観を焼付け塗装により形成している。
【００１７】
内壁材３は、一般的なアクリル繊維からなるグラスウールを圧縮機により圧縮したグラスウール圧縮材を用いている。本実施形態においては密度９６ｋｇ／ｍ3に圧縮した圧縮材３ａにより形成した保温吸湿材からなり、厚みを２５ｍｍとしている。本考案において密度は８０〜１１０ｋｇ／ｍ3程度のものであれば良く、概ね９０ｋｇ／ｍ3の密度であることが好ましい。なお、内壁材３の表面にガラスクロス３ｂを備えて仕上げている。
【００１８】
本実施形態のウレタン素材２ｂによる外壁材２とガラスウール圧縮材３ａによる内壁材３を用いることにより、外部からの騒音を吸音しつつ反響を抑え、より快適なワークブースとすることができる。なお、これらの外壁材２と内壁材３とを用いることが必要であるが、表面材には適宜変更することができる。但し、内壁材３のガラスクロス３ｂを用いることは内部の音の反響を適切に行うために用いることが好ましい。
【００１９】
ワークブースは、図１に示すように、壁面１ａの一部に扉設置開放部４を有し、扉設置開放部４を出入り口としている。この扉設置開放部４は、片開きの開閉扉５と、この開閉扉５の周囲を覆い外部からの音を遮蔽する扉遮蔽部とにより開閉可能に閉塞される。
【００２０】
開閉扉５は、透明または半透明の樹脂板５ａと、この樹脂板５ａよりも一回り大きく樹脂板５ａの周端を囲む長方形状の枠体５ｂとからなる。樹脂板５ａは板厚２５ｍｍのポリカーボネートからなり、例えば一部をサンド仕上げしてプライバシーを保護しつつブース内の人（使用）の有無を確認可能としている。枠体５ｂは厚さを５０ｍｍとし、左右幅の外寸を７００ｍｍとし、上下高さの外寸を１９５０ｍｍとし、枠幅を１００ｍｍとして開閉による樹脂板５ａの変形を防止している。
【００２１】
扉遮蔽部は外壁に設けられる。扉遮蔽部は、扉設置開放部４の周囲から外方に向けて配置した弾性樹脂からなる突出縁６と、この突出縁６を介して開閉扉５を開閉するヒンジ７と、開閉扉５を閉鎖状態に保持するロック部とを備えている。
【００２２】
突出縁６は扉設置開放部４の開口端を覆うように弾性樹脂を枠形状に形成したガスケットからなる。突出縁６は閉鎖状態の開閉扉５に圧縮されながら密着して、扉設置開放部４を開閉扉５により密閉している。
【００２３】
ヒンジ７は回動軸７ａを上下に並べて２つ設けられる。ヒンジ７は突出縁６に一端を固定して開閉扉５に他端を固定し、回動軸７ａを開閉扉５及び突出縁６よりも外方に突出して配置して開閉扉５を外開きとしている。ロック部は扉設置開放部４の縁に配置され、開閉扉５に設けた端末読取部８ａがＩＣカードや情報端末などを読み取ることによりロック部を解除可能としている。
【００２４】
ワークブースは、図３に示すように、底面１ｂから下方に突出して移動用キャスター１０を備え、この移動用キャスター１０をロックすることにより設置場所に固定可能とし、このロックを解除することにより容易に移動可能としている。
【００２５】
底面１ｂはそのブース内側全体を床面振動抑制部９により被覆して、この床面振動抑制部９により外部からの振動を遮断している。床面振動抑制部９はタイル状に敷き詰めたカーペット材からなる。カーペット材は、合成樹脂からなる下面部９ａと、高さ９ｍｍ以上の直立毛体を備えた上面部９ｂとを接着層９ｃで一体化して形成している。
【００２６】
床面振動抑制部９として用いる直立毛体とは、リング状の毛体を突出させたカーペットとは異なり、下方から上方に直立した毛体である。この毛体は直立した状態で通常姿勢とするため所定区画内に多数の毛体を配置しなければならず、かつ、直立状態を維持するための剛性が必要となる。この毛体自体は自然毛であってもよいが、人口毛であってもよい。
【００２７】
この床面振動抑制部９を配置することにより、ワークブース接地場所の振動を抑制し、例えば駅構内のように電車の往来により高い頻度で多くの振動を発生する場所であっても、快適なワークブースを提供することができる。
【００２８】
ワークブースは外壁材２と内壁材３とを組み合わせて形成した内天井面１ｃを有し、この内天井面１ｃにブース内を照らすＬＥＤダウンライトからなる照明を設けている。ワークブースは内天井面１ｃを壁面１ａの上縁よりも下方に設置して、内天井面１ｃの上方に中階層１１を形成し、その上方を開放している。この中階層１１にはブース内の冷暖房を行うドレインレス空調機を設置している。外壁材２と内壁材３とを組み合わせて形成した内天井面１ｃを形成したうえで、これより上方となる中階層１１に空調機を配置し、更にその上方を開放することにより、ワークブース内への振動等が伝わることを防止して快適なワークブースを提供することができる。
【符号の説明】
【００２９】
１ａ…壁面、１ｂ…底面、１ｃ…内天井面、２…外壁材、２ａ…鋼板、２ｂ…発泡ウレタン素材、３…内壁材、３ａ…圧縮材、４…扉設置開放部、５…開閉扉、５ａ…樹脂板、５ｂ…枠体、６…突出縁、７…ヒンジ、７ａ…回動軸、８ａ…端末読取部、９…床面振動抑制部、９ａ…下面部、９ｂ…上面部、９ｃ…接着層、１０…移動用キャスター、１１…中階層。
【図１】
0003222055.tif 000003
【図２】
0003222055.tif 000004
【図３】
0003222055.tif 000005